(57)【特許請求の範囲】
【請求項１】
マンホール蓋開閉用工具を挿入可能にマンホール蓋に貫通形成された摘み穴を閉塞するための閉塞蓋であって、
前記マンホール蓋の上面側から前記摘み穴を閉塞する閉塞部を有する蓋体と、
前記マンホール蓋の下面側に配置され、前記マンホール蓋の下面に当接する当接部を有する挟持体と、
前記摘み穴を貫通する長尺のバンド部、及び、前記バンド部の下端側で前記挟持体を懸下して支持する支持部を有し、前記挟持体を前記蓋体に対して牽引可能に構成されたバンド体と、を備え、
前記蓋体には、前記バンド部が通過可能な挿通孔、及び、前記挿通孔を通過する前記バンド部を前記蓋体に対してロックするロック部が設けられていることを特徴とする閉塞蓋。
【請求項２】
前記挟持体は、前記マンホール蓋の上面側から下面側に前記摘み穴を通過可能であり、且つ、前記バンド体に懸下された状態で前記当接部が前記マンホールの前記摘み穴の周縁に係止されることを特徴とする請求項１に記載の閉塞蓋。
【請求項３】
前記蓋体には、前記ロック部による前記蓋体に対する前記バンド体のロックを解除するロック解除部が形成されていることを特徴とする請求項１又は２に記載の閉塞蓋。
【請求項４】
前記ロック解除部は、前記閉塞部を貫通する解除孔を形成し、前記解除孔を介して工具が前記ロック部に作用することで、前記バンド体のロックが解除されることを特徴とする請求項３に記載の閉塞蓋。
【請求項５】
前記バンド体と前記蓋体とのロックが解除されたときに、前記挟持体が落下することを防止する落下防止手段をさらに備えることを特徴とする請求項１から４のいずれか一項に記載の閉塞蓋。
【請求項６】
前記落下防止手段は、前記挟持体に形成されたスリットと、前記スリットを貫通する長尺体とを備え、前記長尺体の一端が前記蓋体の下面に固定され、前記長尺体の他端側には、前記挟持体の下面に係合可能に張り出した係合部が設けられていることを特徴とする請求項５に記載の閉塞蓋。
【請求項７】
前記スリットは、該スリット内部での前記長尺体の傾動を許容する長手形状を有し、前記バンド体と前記蓋体とのロックが解除されたときに、前記挟持体が傾斜した姿勢で前記長尺体によって吊下げられることを特徴とする請求項６に記載の閉塞蓋。
【請求項８】
前記挟持体は、前端部から後端部に延びる長板形状を有し、前記スリットは前端部側に偏って形成され、且つ、前記挟持体には、前記前端部の下面が切り欠かれて傾斜部が形成されていることを特徴とする請求項７に記載の閉塞蓋。
【請求項９】
マンホール蓋開閉用の工具を挿入可能に貫通形成された摘み穴を有し、前記摘み穴が請求項１から８のいずれか一項に記載の閉塞蓋によって閉塞されていることを特徴とするマンホール蓋。
【請求項１０】
長尺のバンド部及び前記バンド部をロック可能なロック部を有する結束バンドを用いて、マンホール蓋開閉用工具を挿入可能にマンホール蓋に貫通形成された摘み穴を閉塞するための閉塞装置であって、
前記マンホール蓋の上面側から前記摘み穴を閉塞する閉塞部を有する蓋体と、
前記マンホール蓋の下面側に配置され、前記マンホール蓋の下面に当接する当接部、及び、前記バンド部が通過可能な貫通孔を有する挟持体と、を備え、
前記蓋体には、第１の結束バンドのバンド部が通過可能な挿通孔、及び、第２の結束バンドから分離されたロック部を保持し、前記挿通孔を通過する前記バンド部を前記蓋体に対してロック可能とする保持部が設けられ、
前記挟持体は、前記バンド部が前記貫通孔を通過した状態で前記第１の結束バンドのロック部によって吊下げ支持されることを特徴とする閉塞装置。
【発明の詳細な説明】
【技術分野】
【０００１】
本発明は、マンホール蓋開閉用工具を挿入可能にマンホール蓋に貫通形成された摘み穴を閉塞するための閉塞蓋に関する。
【背景技術】
【０００２】
一般的に、マンホール蓋は、開閉用工具によってマンホール蓋を開閉可能な構造を有している。例えば、マンホール蓋には、蓋上面から開閉用工具を挿入可能な摘み穴や開閉用工具が係合する係合軸をその内部に有する凹所が設けられている。そして、路上などに配置されたマンホール蓋は、摘み穴や係合軸が外部に露出されるため、悪意若しくは悪戯によって無断で開けられることがあった。
【０００３】
これに対し、特許文献１は、マンホール蓋（１）の凹陥部（３）をカバー板（４）で覆い、且つ、キーハンドル（１７）を用いて凹陥部（３）内の工具受棒（２）にロックされる閉塞装置を開示している。該閉塞装置のカバー板（４）には、カバー板（４）の下面（５）に突出形成された脚板部（６）と、該カバー板（４）の板厚方向に形成された軸孔（８）に回転可能に挿通され、頭部に被駆動部（１１）を形成してあるロック軸（９）と、該ロック軸（９）に螺着され、工具受棒（２）の下面に当接するロックアーム（１２）と、が設けられている。そして、閉塞装置は、カバー板（４）を工具受棒（２）に固定すべく、ロック軸（９）の被駆動部（１１）に嵌合される駆動部（１９）を形成してなるキーハンドル（１７）をさらに含む。そして、該閉塞装置において、カバー板（４）を凹陥部（３）に被せて、キーハンドル（１７）の駆動部（１９）をカバー板（４）の被駆動部（１１）に嵌合してキーハンドル（１７）を回転させると、ロック軸（９）が回転し、ロックアーム（１５）が工具受棒（２）の下面に当接して凹陥部（３）の閉塞及びロックが完了する。さらに、特許文献１の閉塞装置では、カバー板（４）に軸孔（８）と平行に形成されたピン受孔（２２）に収容した制止ピン（２７）をバネ部材（２８）によって突出方向に付勢し、制止ピン（２７）を制止溝（２６）に係合させてロック軸（９）の回転を制止する。これにより、ロック軸（１１）とロックアーム（１２）との螺合が自然に弛み、ロックアーム（１２）の先端部（１６）が工具受棒（２）から外れてカバー板（４）がマンホール蓋（１）の凹陥部（３）より離脱することが抑えられる。
【先行技術文献】
【特許文献】
【０００４】
【特許文献１】特開２００８−８８６６４号公報
【発明の概要】
【発明が解決しようとする課題】
【０００５】
特許文献１のような従来の閉塞装置（以下、閉塞蓋）は、マンホール蓋に形成された凹所の係合軸を利用して凹所を閉塞するものであり、（係合軸を有しない）摘み穴を貫通形成しただけの簡易なタイプのマンホール蓋には対応していない。よって、これまでマンホール蓋の摘み穴を閉塞する閉塞蓋が存在せず、摘み穴が無防備に露出されることが問題であった。
【０００６】
本発明は、上記課題を解決するためになされたものであり、その目的は、簡易な構造を有し、マンホール蓋に貫通形成された摘み穴を閉塞することができる閉塞蓋、閉塞装置及び、該閉塞蓋で摘み穴が閉塞されたマンホール蓋を提供することにある。
【課題を解決するための手段】
【０００７】
請求項１に記載の閉塞蓋は、マンホール蓋開閉用工具を挿入可能にマンホール蓋に貫通形成された摘み穴を閉塞するための閉塞蓋であって、
マンホール蓋の上面側から摘み穴を閉塞する閉塞部を有する蓋体と、
マンホール蓋の下面側に配置され、マンホール蓋の下面に当接する当接部を有する挟持体と、
摘み穴を貫通する長尺のバンド部、及び、バンド部の下端側で挟持体を懸下して支持する支持部を有し、挟持体を蓋体に対して牽引可能に構成されたバンド体と、を備え、
蓋体には、バンド部が通過可能な挿通孔、及び、挿通孔を通過するバンド部を蓋体に対してロックするロック部が設けられていることを特徴とする。
【０００８】
請求項２に記載の閉塞蓋は、請求項１に記載の閉塞蓋において、挟持体は、マンホール蓋の上面側から下面側に摘み穴を通過可能であり、且つ、バンド体に懸下された状態で当接部がマンホールの摘み穴の周縁に係止されることを特徴とする。
【０００９】
請求項３に記載の閉塞蓋は、請求項１又は２に記載の閉塞蓋において、蓋体には、ロック部による蓋体に対するバンド体のロックを解除するロック解除部が形成されていることを特徴とする。
【００１０】
請求項４に記載の閉塞蓋は、請求項３に記載の閉塞蓋において、ロック解除部は、閉塞部を貫通する解除孔を形成し、解除孔を介して工具がロック部に作用することで、バンド体のロックが解除されることを特徴とする。
【００１１】
請求項５に記載の閉塞蓋は、請求項１から４のいずれか一項に記載の閉塞蓋において、バンド体と蓋体とのロックが解除されたときに、挟持体が落下することを防止する落下防止手段をさらに備えることを特徴とする。
【００１２】
請求項６に記載の閉塞蓋は、請求項５に記載の閉塞蓋において、落下防止手段は、挟持体に形成されたスリットと、スリットを貫通する長尺体とを備え、長尺体の一端が蓋体の下面に固定され、長尺体の他端側には、挟持体の下面に係合可能に張り出した係合部が設けられていることを特徴とする。
【００１３】
請求項７に記載の閉塞蓋は、請求項６に記載の閉塞蓋において、スリットは、該スリット内部での長尺体の傾動を許容する長手形状を有し、バンド体と蓋体とのロックが解除されたときに、挟持体が傾斜した姿勢で長尺体によって吊下げられることを特徴とする。
【００１４】
請求項８に記載の閉塞蓋は、請求項７に記載の閉塞蓋において、挟持体は、前端部から後端部に延びる長板形状を有し、スリットは前端部側に偏って形成され、且つ、挟持体には、前端部の下面が切り欠かれて傾斜部が形成されていることを特徴とする。
【００１５】
請求項９に記載のマンホール蓋は、マンホール蓋開閉用の工具を挿入可能に貫通形成された摘み穴を有し、摘み穴が請求項１から８のいずれか一項に記載の閉塞蓋によって閉塞されていることを特徴とする。
【００１６】
請求項１０に記載の閉塞装置は、長尺のバンド部及びバンド部をロック可能なロック部を有する結束バンドを用いて、マンホール蓋開閉用工具を挿入可能にマンホール蓋に貫通形成された摘み穴を閉塞するための閉塞装置であって、
マンホール蓋の上面側から摘み穴を閉塞する閉塞部を有する蓋体と、
マンホール蓋の下面側に配置され、マンホール蓋の下面に当接する当接部、及び、バンド部が通過可能な貫通孔を有する挟持体と、を備え、
蓋体には、第１の結束バンドのバンド部が通過可能な挿通孔、及び、第２の結束バンドから分離されたロック部を保持し、挿通孔を通過するバンド部を蓋体に対してロック可能とする保持部が設けられ、
挟持体は、バンド部が貫通孔を通過した状態で第１の結束バンドのロック部によって吊下げ支持されることを特徴とする。
【発明の効果】
【００１７】
請求項１に記載の閉塞蓋によれば、蓋体をマンホール蓋の上面側に配置するとともに挟持体をマンホール蓋の下面側に配置し、摘み穴及び挿通孔を貫通するバンド体を上面側に引き上げることにより、バンド体の支持部で支持された挟持体が蓋体に対して牽引される。当該牽引力によって挟持体と蓋体との間にマンホール蓋が挟持される。そして、ロック部がバンド部を蓋体に対してロックすることにより、挟持体及び蓋体によってマンホール蓋が挟持された状態が維持される。すなわち、本発明の閉塞蓋によれば、簡易な構造で、マンホール蓋の摘み穴を蓋体でより確実に閉塞することが可能である。結果として、本発明の閉塞蓋を使用することで、マンホール蓋の摘み穴が外部に露出することを防ぎ、悪意若しくは悪戯によってマンホール蓋が無断で開けられることを抑止することができる。
【００１８】
請求項２に記載の閉塞蓋によれば、請求項１の発明の効果に加えて、設置されたマンホール蓋に対して、上面側から摘み穴を介して挟持体を下面側に配置することが可能である。これにより、閉塞体をマンホール蓋に容易に設置することができる。
【００１９】
請求項３に記載の閉塞蓋によれば、請求項１又は２の発明の効果に加えて、ロック解除部によって蓋体に対するバンド体のロックを解除することにより、蓋体の閉塞部を破壊することなく、蓋体を摘み穴から取り外すことができる。
【００２０】
請求項４に記載の閉塞蓋によれば、請求項３の発明の効果に加えて、マンホール蓋の上面側から解除孔に工具を差し込むことにより、蓋体に対するバンド体のロックを簡単に解除し、蓋体を摘み穴から容易に取り外すことができる。
【００２１】
請求項５に記載の閉塞蓋によれば、請求項１から４のいずれかの発明の効果に加えて、落下防止手段により、蓋体と挟持体との連結（ロック）が解除されても、マンホール内に部材が落下することが防止される。
【００２２】
請求項６に記載の閉塞蓋によれば、請求項５の発明の効果に加えて、ロックが解除されたときに、落下する挟持体のスリット周縁に長尺体の係合部が係合し、結果として、長尺体が挟持体を懸下して支持することができる。すなわち、簡易な構造で落下防止手段を構成することが可能である。
【００２３】
請求項７に記載の閉塞蓋によれば、請求項６の発明の効果に加えて、ロックが解除されたときに、挟持体が傾斜した姿勢で長尺体によって吊下げられる。すなわち、蓋体を摘み穴から取り外して長尺体をマンホール蓋の上面側に引き上げるときに、挟持体が傾斜姿勢をとり、その上端が摘み穴を通過し易い。
【００２４】
請求項８に記載の閉塞蓋によれば、請求項７の発明の効果に加えて、スリットが前端部側に偏って形成されていることにより、挟持体の前端部が常に上方となるように傾斜する。さらに、挟持体の前端部の下面が切り欠かれていることにより、傾斜姿勢で傾斜部がほぼ垂直に配置される。これにより、挟持体がマンホール蓋下面の摘み穴の周縁に当接することを抑え、より簡単に挟持体に摘み穴を通過させることができる。
【００２５】
請求項９に記載の蓋体によれば、請求項１から８のいずれかの発明の作用効果をマンホール蓋として発揮する。すなわち、マンホール蓋の摘み穴が外部に露出することが防止され、悪意若しくは悪戯によってマンホール蓋が無断で開けられることが抑止される。
【００２６】
請求項１０に記載の閉塞装置によれば、第１の結束バンド及び第２の結束バンドを準備することで、マンホール蓋の摘み穴を閉塞するための閉塞蓋を容易に構成することができる。すなわち、第１の結束バンドのバンド部を挟持体の貫通孔及び蓋体の挿通孔に挿通する。そして、貫通孔及び蓋体の挿通孔を通過するバンド部を蓋体にロック可能であるように、第２の結束バンドから分離されたロック部を閉塞体の保持部に取着する。そして、蓋体をマンホール蓋の上面側に配置するとともに挟持体をマンホール蓋の下面側に配置し、摘み穴及び挿通孔を貫通する第１の結束バンドを上面側に引き寄せることにより、第１の結束バンドのロック部で支持された挟持体が蓋体に対して牽引される。当該牽引力によって挟持体と蓋体との間にマンホール蓋が挟持される。そして、第２の結束バンドのロック部がバンド部を蓋体に対してロックすることにより、挟持体及び蓋体によってマンホール蓋が挟持された状態が維持される。すなわち、本発明の閉塞装置によれば、結束バンドを利用した簡易な構造で、マンホール蓋の摘み穴を蓋体でより確実に閉塞することが可能である。結果として、本発明の閉塞装置を使用することで、マンホール蓋の摘み穴が外部に露出することを防ぎ、悪意若しくは悪戯によってマンホール蓋が無断で開けられることを抑止することができる。
【図面の簡単な説明】
【００２７】
【図１】本発明の一実施形態の閉塞蓋の（ａ）上方から見た斜視図及び（ｂ）下方から見た斜視図。
【図２】図１の閉塞蓋の（ａ）平面図、（ｂ）底面図、（ｃ）正面図及び（ｃ）側面図。
【図３】図１の閉塞蓋の蓋体の（ａ）上方から見た斜視図及び（ｂ）下方から見た斜視図。
【図４】図３の蓋体の（ａ）平面図、（ｂ）正面図、（ｃ）底面図及び（ｄ）側面図。
【図５】図４の蓋体の（ａ）Ａ−Ａ断面図、（ｂ）Ｂ−Ｂ断面図、（ｃ）Ｃ−Ｃ断面図及び（ｄ）Ｄ−Ｄ断面図。
【図６】図１の閉塞蓋の挟持体の（ａ）上方から見た斜視図及び（ｂ）下方から見た斜視図。
【図７】図６の挟持体の（ａ）平面図、（ｂ）正面図、（ｃ）底面図及び（ｄ）側面図。
【図８】図７の挟持体の（ａ）Ｅ−Ｅ断面図、（ｂ）Ｆ−Ｆ断面図、（ｃ）Ｇ−Ｇ断面図及び（ｄ）Ｈ−Ｈ断面図。
【図９】本実施形態の結束バンドの（ａ）上方から見た斜視図、（ｂ）下方から見た斜視図及び（ｃ）その縦断面図。
【図１０】図１の閉塞蓋において、ロック部を設けた蓋体を示す断面図。
【図１１】図１の閉塞蓋の分解斜視図。
【図１２】本発明の一実施形態の閉塞蓋を設置したマンホール蓋の（ａ）平面図及び（ｂ）底面図。
【図１３】図１２のマンホール蓋のＩ−Ｉ断面図。
【図１４】本発明の一実施形態の閉塞蓋をマンホール蓋に取り付ける工程を示す概略斜視図。
【図１５】図１４の工程に続いて、閉塞蓋をマンホール蓋に取り付ける工程を示す概略断面図。
【図１６】本発明の一実施形態の閉塞蓋をマンホール蓋から取り外す工程を示す概略断面図。
【図１７】図１６の工程に続いて、閉塞蓋をマンホール蓋から取り外す工程を示す概略断面図。
【図１８】本発明の変形例の閉塞蓋を示す分解斜視図。
【図１９】本発明の変形例の閉塞蓋を示す分解斜視図。
【発明を実施するための形態】
【００２８】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本発明における上下左右の方向は、相対的な位置を示す概念にすぎず、これらを入れ替えて適用可能であることは言うまでもない。
【００２９】
本発明の一実施形態の閉塞蓋１００は、マンホール蓋１０に貫通形成された摘み穴１１を外部に露出しないように閉塞することに用いられる。摘み穴１１は、マンホール蓋１０の外周近傍に一対で設けられている。また、摘み穴１１は、図１４に示すように、矩形状に延びる矩形部１１ａと、該矩形部１１ａの中央に形成された円形部１１ｂとが組み合わさった穴である。該摘み穴１１にマンホール蓋開閉用工具（図示せず）が挿入されることにより、マンホール蓋１０が持ち上げられる。
【００３０】
図１（ａ）、（ｂ）は、本実施形態の閉塞蓋１００の上方から見た斜視図、及び、下方から見た斜視図である。図２（ａ）〜（ｄ）は、閉塞蓋１００の平面図、底面図、正面図及び側面図である。
【００３１】
図１及び図２に示すように、閉塞蓋１００は、マンホール蓋１０上面（表面）に設置されて摘み孔１１を閉塞する蓋体１１０と、該蓋体１１０に設けられたロック部１２０と、マンホール蓋１０下面（裏面）に配置されて蓋体１１０と協働してマンホール蓋１０を挟持するための挟持体１３０と、蓋体１１０と挟持体１３０とを連結するバンド体１５０と、挟持体１３０を蓋体１１０から脱落防止に保持する落下防止手段としての長尺体１６０と、を備えてなる。なお、本実施形態では、ロック部１２０、バンド体１５０及び長尺体１６０は、一般的な結束バンド又はその一部からなり、閉塞蓋１００からロック部１２０、バンド体１５０及び長尺体１６０を省いた構成を閉塞装置と定める。つまり、閉塞装置は、蓋体１１０と挟持体１３０とから構成される。以下、図１〜図１０を参照して、本実施形態の閉塞蓋１００の各構成部材を詳細に説明する。
【００３２】
まず、図３〜図５を参照して、本実施形態の閉塞蓋１００の蓋体１１０の構成を説明する。図３（ａ）、（ｂ）は、該蓋体１１０の平面視側の斜視図及び底面視側の斜視図である。図４（ａ）〜（ｄ）は、該蓋体１１０の平面図、正面図、底面図及び側面図である。図５（ａ）〜（ｄ）は、該蓋体１１０のＡ−Ａ断面図、Ｂ−Ｂ断面図、Ｃ−Ｃ断面図及びＤ−Ｄ断面図である。
【００３３】
図３及び図４に示すとおり、蓋体１１０は、マンホール蓋１０の上面側から摘み穴１１を閉塞する閉塞部１１１を有する。閉塞部１１１は、上面及び下面を有する円板である。該閉塞部１１１は、マンホール蓋１０に貫通形成された摘み穴１１全体を覆うことが可能な大きさを有している。また、閉塞部１１１上面には、閉塞蓋１００の位置決めを行うための一対の三角形の目印１１６が表示されている。好ましくは、閉塞部１１１の中心が摘み穴１１の中心にほぼ合致するように、閉塞蓋１００がマンホール蓋１０に設置される。
【００３４】
該閉塞部１１１の略中央には、矩形スリット状の挿通孔１１２が貫通形成されている。挿通孔１１２は、バンド体１５０のバンド部１５１が通過可能な幅（短辺）及び長さ（長辺）を有している。好ましくは、挿通孔１１２に挿通されたバンド体１５０（結束バンド）が捻れたり、ぐらつかないように、挿通孔１１２の短辺が扁平状のバンド部１５１の厚みよりも僅かに大きく、且つ、挿通孔１１２の長辺がバンド部１５１の幅よりも僅かに大きい。
【００３５】
また、蓋体１１０は、挿通孔１１２に対応する位置でロック部１２０（結束バンド１７０のロック部１７３）を下面側に保持するための保持部１１３を備える。保持部１１３は、下面側に突設した第１係合突起１１３ａと、該該第１係合突起１１３ａに挿通孔１１２を隔てて対向する第２係合突起１１３ｂとを備える。第１係合突起１１３ａは、第２係合突起１１３ｂよりも大きく下面側に突出し、底面視において挿通孔１１２の延在方向とほぼ平行に延びる矩形状を有する。また、第１係合突起１１３ａは、断面視コ字状に形成され、その下方が閉塞されている。図５（ｃ）に示すように、第１係合突起１１３ａには、Ｔ字状の嵌合孔１１３ｃが穿設されている。嵌合孔１１３ｃには、ロック部１２０の切断残片１２３が嵌入される。そして、該嵌合孔１１３ｃの下方から挿通孔１１２側に張出部１１３ｄが突出している。該張出部１１３ｄは、ロック部１２０の下面に当接可能である。第２係合突起１１３ｂは、第１係合突起１１３ａに対向する位置で、直線状に突出した低く平坦な突起である。後述するように、第１係合突起１１３ａ及び第２係合突起１１３ｂが協働して、ロック部１２０（挿通係止孔１２１）が挿通孔１１２の直下に保持され得る。
【００３６】
そして、蓋体１１０は、挿通孔１１２に隣接して形成されたロック解除部１１４を備える。該ロック解除部１１４は、保持部１１３の第１係合突起１１３ａに対応する位置に凹設された細長い矩形状の凹部１１４ａを有し、挿通孔１１２の延設方向と直交する方向に延びている。図５（ａ）に示すように、ロック解除部１１４では、凹部１１４ａの底面に薄膜１１４ｂが形成されている。該ロック解除部１１４の幅及び長さは、例えばマイナスドライバー等の工具の先端を差し込み可能に定められている。蓋体１１０上面からロック解除部１１４に工具を差し込むことにより、薄膜１１４ｂを簡単に破いて解除孔１１４ｃを形成することができる。そして、後述するように、ロック解除機構としてのロック解除部１１４を介して工具を操作することにより、例えば、保持部１１３を破壊するなどして、保持部１１３に保持されたロック部１２０を簡単に取り除くことが可能である（図１６参照）。
【００３７】
さらに、蓋体１１０は、挿通孔１１２及び保持部１１３の両方に隣接して配置され、下面側に突設された連結部１１５を備える。連結部１１５は、扁平状の筒形状を有し、その長手方向が挿通孔１１２の延設方向と直交して配置されている。図５（ｂ）、（ｄ）に示すように、連結部１１５の下端が開放され、上端が閉塞されている。そして、連結部１１５は、長尺体１６０の長尺部１６１の先端を嵌合して把持可能な開口を有している。
【００３８】
次に、図６〜図８を参照して、本実施形態の閉塞蓋１００の挟持体１３０の構成を説明する。図６（ａ）、（ｂ）は、該挟持体１３０の平面視側の斜視図及び底面視側の斜視図である。図７（ａ）〜（ｄ）は、該挟持体１３０の平面図、正面図、底面図及び側面図である。図８（ａ）〜（ｄ）は、該挟持体１３０のＥ−Ｅ断面図、Ｆ−Ｆ断面図、Ｇ−Ｇ断面図及びＨ−Ｈ断面図である。
【００３９】
挟持体１３０は、マンホール蓋１０の下面側に配置され、該マンホール蓋１０の下面に当接する当接部１３２を有する。そして、挟持体１３０は、蓋体１１０の閉塞部１１１下面と挟持体１３０の当接部１３２との間でマンホール蓋１０を挟持するように構成されている。
【００４０】
図６及び図７に示すように、挟持体１３０は、前端部（図７（ａ）の左端側）から後端部（図７（ａ）の右端側）に延びる長板形状を有する挟持体本体１３１を備えてなる。該挟持体本体１３１は、長辺及び短辺を有する矩形状の底壁１３１ａ、及び、該底壁１３１ａの幅方向両側から立設した側壁１３１ｂからなり、図８（ｃ）に示すように、断面視コ字状に形成されている。挟持体本体１３１は、その上面がマンホール蓋１０下面の摘み穴１１周縁に当接可能に構成されている。より具体的には、挟持体本体１３１の幅は、摘み穴１１（矩形部１１ａ）の幅（短辺）よりも大きく、且つ、挟持体本体１３１の長さは、摘み穴１１の長さ（長辺）よりも大きい。本実施形態では、挟持体本体１３１の側壁１３１ｂ上端が、マンホール蓋１０下面に当接する当接部１３２として定められる。さらに、挟持体本体１３１は、摘み穴１１を通過可能な大きさで構成されている。より具体的には、挟持体本体１３１の厚み（側壁１３１ｂの高さ）が摘み穴１１の幅よりも小さく、挟持体本体１３１の幅が摘み穴１１の長さよりも小さい。すなわち、挟持体１３０は、摘み穴１１に対する姿勢（傾斜角度）によって、（例えば水平姿勢では）摘み穴１１周縁に当接可能であり、且つ、（例えば上下に傾斜した姿勢では）摘み穴１１を通過可能である。
【００４１】
該挟持本体１３１の長手方向の略中央には、幅方向に延びる矩形スリット状の貫通孔１３３が穿設されている。貫通孔１３３は、バンド体１５０の扁平状のバンド部１５１が通過可能な幅（短辺）及び長さ（長辺）を有している。好ましくは、貫通孔１３３に挿通されたバンド体１５０（結束バンド）が捻れたり、がたつかないように、貫通孔１３３の短辺がバンド部１５１の厚みよりも僅かに大きく、且つ、貫通孔１３３の長辺がバンド部１５１の幅よりも僅かに大きい。図８（ａ）に示すように、貫通孔１３３の後端側の内面が底壁１３１ａに対して略垂直面を構成し、他方、貫通孔１３３の前端側の内面が前方斜め上方向に傾斜した傾斜面を構成している。これにより、貫通孔１３３に挿通されたバンド体１５０が、挟持体１３０の前端側に相対的に大きく傾動可能である。
【００４２】
また、挟持体１３０の挟持体本体１３１の底壁１３１ａには、前端部側に偏って形成された長手状のスリット１３４が穿設されている。スリット１３４は、貫通孔１３３の延びる方向と直交する方向に延びている。スリット１３４は、一方の側壁１３１ｂ近傍で挟持体本体１３１の略中央から前端近傍まで延設されている。また、スリット１３４は、長尺体１６０の扁平状の長尺部１６１が挿通可能な幅を有する。そして、該スリット１３４に挿通された長尺体１６０はスリット１３４の長さ方向に沿ってスライド可能である。好ましくは、スリット１３４に挿通された長尺体１６０（結束バンド）が捻れないように、スリット１３４の幅が長尺部１６１の厚みよりも僅かに大きい。図８（ｂ）に示すように、スリット１３４の前端部側及び後端部側の内面が共に前方斜め上方向に傾斜した傾斜面を構成している。これにより、スリット１３４に挿通された長尺体１６０が、挟持体１３０の前端部側に相対的に大きく傾動可能である。
【００４３】
そして、挟持体１３０の前端部には、正面視斜めに切り欠かれた傾斜部１３５が形成されている。換言すれば、傾斜部１３５は、挟持体本体１３１の前端部下面が切り欠かれ、前方斜め上方向に傾斜した傾斜面を有する。前述した、貫通孔１３３内面の傾斜面、スリット１３４内面の傾斜面、及び、傾斜部１３５の傾斜面は、互いに略平行である。すなわち、バンド部１５０及び長尺体１６０が貫通孔１３３及びスリット１３４の傾斜面に沿ってそれぞれ傾斜したとき、傾斜部１３５がバンド部１５０及び長尺体１６０の延伸方向とほぼ平行に配置される。これにより、後述するとおり、閉塞蓋１００をマンホール蓋１０に設置し、又は、マンホール蓋１０から除去する際、摘み穴１１を介して挟持体１３０をマンホール蓋１０上面側から下面側へ、又はその逆方向に出し入れすることが容易となる。
【００４４】
さらに、挟持体１３０の貫通孔１３３の前端側周縁に沿って矩形状のガイド片１３６が突設されている。ガイド片１３６は、バンド体１５０を貫通孔１３３に挿通する際、バンド体１５０の表面（係止突起１５２）が挟持体１３０の前端部側（つまり、ロック部１２０のロック爪１２２に対向する方向）に配置されるようにガイドする。また、挟持体１３０の後端には、バンド部１５０の先端に取着される係合片１３８が取り外し可能に保持されている。図８（ｄ）に示されているように、係合片１３８は、上下に開放された扁平状の筒体である。該係合片１３８は、側面視五角形を有し、その鋭角側の先端に傾斜面１３８ａが形成されている。該係合片１３８は、挟持体１３０から切り取られて、長尺体１６０の先端に嵌着されるように構成されている。そして、係合片１３８は、落下防止手段として、長尺体１６０の下端側で挟持体１３０を懸下して支持可能な係合部１６２（図１参照）として機能する。
【００４５】
続いて、図９を参照して、本実施形態の閉塞蓋１００の結束バンド１７０を説明し、その後、該結束バンド１７０で構成されるバンド体１５０、長尺体１６０及びロック部１２０について説明する。
【００４６】
図９（ａ）〜（ｃ）は、該結束バンド１７０の平面視側の斜視図、底面視側の斜視図、及び、長手方向の断面図である。図９（ａ）、（ｂ）に示すとおり、結束バンド１７０は、可撓性を有する長尺の扁平断面形状を有するバンド部１７１と、該バンド部１７１の基端に形成され、該バンド部１７１を挿通及び係止して固定する矩形状のロック部１７３とを備える。この結束バンド１７０は、一般に入手可能である。図９（ｃ）に示すとおり、結束バンド１７０のバンド部１７１表面には、鋸歯状の複数の係止突起（被係止部）１７２が設けられている。該係止突起１７２は、バンド部１７１表面から略直角に立ち上がった垂直面と、該垂直面に連設した比較的なだらかな傾斜面とからなる。また、ロック部１７３には、バンド部１７１を挿通可能に開口した挿通係止孔１７４、及び、該挿通係止孔１７４内に弾性変形可能に形成されたロック爪１７５が設けられている。そして、結束バンド１７０の先端が、その基端に位置するロック部１７３の挿通係止孔１７４に挿入されると、バンド部１７１上面の係止突起１７２とロック爪１７５とが係合する。このとき、バンド部１７１は、ロック部１７３の挿通係止孔１７４内を段階的に進行可能であるが、進行方向と逆の脱抜方向において係止突起１７２がロック爪１７５に係止される。すなわち、バンド部１７１が所定位置でロック部１７３に脱抜不能に拘束及び結合される。
【００４７】
本実施形態のバンド体１５０は、結束バンド１７０を加工せずにそのまま利用したものである。すなわち、バンド体１５０は、表面に鋸歯状の複数の係止突起１５２が形成されたバンド部１５１（バンド部１７１）と、バンド部１５１の下端側で挟持体１３０を懸下して支持する支持部１５３（ロック部１７３）とを備える。
【００４８】
本実施形態の長尺体１６０は、結束バンド１７０のロック部１７３をバンド部１７１から切り離し、且つ、係合片１３８を先端に取着することによって構成される。該長尺体１６０は、挟持体１３０に形成されたスリット１３４を貫通する長尺部１６１、及び、挟持体１３０下面に係合可能に張り出した係合部１６２を備える。つまり、長尺体１６０の長尺部１６１が結束バンド１７０のバンド部１７１に対応し、係合部１６２が係合片１３８に対応する。また、係合部１６２には、挟持体１３０の底壁１３１ａ下面に当接する傾斜面１６２ａ（傾斜面１３８ａに対応）が設けられている。係合部１６２が挟持体１３０を下支えする際、傾斜面１６２ａによって挟持体１３０が傾斜姿勢にガイドされる。該傾斜面１６２ａの傾斜角は、貫通孔１３３内面及びスリット１３４内面の傾斜角に対応している。本実施形態では、長尺体１６０の端部が蓋体１１０の連結部１１５に嵌着されることで、長尺体１６０が蓋体１１０下面に固定される。他方、結束バンド１７０から切除されたロック部１７３は、蓋体１１０の保持部１１３に装着されて、バンド体１５０を蓋体１１０にロック（固定）するためのロック部１２０として機能する。
【００４９】
図１０（ａ）、（ｂ）は、結束バンド１７０から切除したロック部１２０（１７３）を蓋体１１０の保持部１１３に設置した形態を示している。図１０（ａ）、（ｂ）は、図４（ｃ）のＡ−Ａ断面及びＣ−Ｃ断面にそれぞれ対応している。図１０（ａ）に示すように、蓋体１１０には、挿通孔１１２を通過するバンド部１５１を蓋体１１０に対してロックするロック部１２０が設けられている。ロック部１２０の挿通係止孔１２１は、挿通孔１１２と連通するように挿通孔１１２の直下に配置されている。つまり、バンド体１５０のバンド部１５１が挿通孔１１２及び挿通係止孔１２１の両方を通過するように、保持部１１３によってロック部１２０が位置決めされている。また、ロック爪１２２が挿通孔１１２側に向いて、挿通孔１１２及び挿通係止孔１２１を通過するバンド部１５１の係止突起１５２に係合可能に配置されている。すなわち、ロック部１２０は、バンド体１５０の上方への移動を許容し、下方への移動を制限することにより、バンド体１５０を所定位置にロックする。
【００５０】
該ロック部１２０は、保持部１１３に嵌め込まれることによって保持されている。より具体的には、ロック部１２０は、第１係合突起１１３ａの張出部１１３ｄと、閉塞部１１１下面との間で上下から挟まれている。また、ロック部１２０は、その側端で第２係合突起１１３ｂと係合している。そして、ロック部１２０は、第１係合突起１１３ａ及び第２係合突起１１３ｂの間に挟まれている。このとき、図１０（ｂ）に示すように、ロック部１２０から延びるバンド部の切断残片１２３が、Ｔ字状の嵌合孔１１３ｃに嵌入されている。すなわち、ロック部１２０は、保持部１１３によって蓋体１１０に安定的に固定されている。
【００５１】
次に、図１１を参照して、上記説明した各閉塞蓋１００の各構成部材を組み立てて、図１及び図２で示した本実施形態の閉塞蓋１００を構成する方法を説明する。
【００５２】
まず、２本の結束バンド１７０を準備する。第１の結束バンド１７０はバンド体１５０としてそのまま用いる。第２の結束バンド１７０をバンド部１７１の根元付近で切断してロック部１７３を分離し、ロック部１２０を準備する。次に、挟持体１３０から係合片１３８を切除し、切断された第２の結束バンド１７０のバンド部１７１に該係合片１３８を装着することにより、長尺体１６０を形成する。次いで、ロック部１２０を保持部１１３に嵌め込むようにして閉塞部１１１下面に装着する。より具体的には、ロック部１２０の切断残片１２３を嵌合孔１１３ｃに嵌入し、ロック部１２０を第１係合突起１１３ａ、第２係合突起１１３ｂ及び張出部１１３ｄの内側に嵌め込む。そして、当接部１３２が蓋体１１０を向くように挟持体１３０を配置し、バンド体１５０のバンド部１５１上端を貫通孔１３３に挿通した上で、さらに挿通係止孔１２１、挿通孔１１２へと順に挿通させる。このとき、バンド体１５０の支持部１５３と挟持体１３０のガイド片１３６とを互いに干渉しないように配置することで、バンド体１５０の係止突起１５２がロック爪１２２に対向するように位置決めされる。蓋体１１０と挟持体１３０との距離が少なくともマンホール蓋１０の厚み以上となるように、バンド体１５０上端を挿通孔１１２から所定長さで引き出す。このとき、バンド体１５０は、ロック部１２０によって順方向（上方）への移動が許容されるが、逆方向（下方）への移動が制限されるので、ロック部１２０によって保持された状態となる。そして、バンド体１５０の支持部１５３が挟持体１３０下面に係合することにより、挟持体１３０が蓋体１１０によって懸下及び支持される。なお、挟持体１３０が矩形状の支持部１５３によって支持された状態では、挟持体１３０は略水平な姿勢を維持する（図２参照）。また、長尺体１６０の長尺部１６１を挟持体１３０のスリット１３４に挿通させ、蓋体１１０の連結部１１５に嵌入する。長尺体１６０が蓋体１１０に固定されることにより、ロック解除時にバンド体１５０による蓋体１１０と挟持体１３０との連結が切断されたときに、長尺体１６０が挟持体１３０を吊下げ支持可能である。なお、挟持体１３０が傾斜面１６２ａを有する係合部１６２によって支持された状態では、挟持体１３０は傾斜した姿勢を維持する（図１６参照）。こうして、本実施形態の閉塞蓋１００が組み立てられる。
【００５３】
図１２及び図１３は、本実施形態の閉塞蓋１００で摘み穴１１を閉塞したマンホール蓋１０を示している。図１２（ａ）、（ｂ）は、該マンホール蓋１０の平面図及び底面図であり、図１３は、そのＩ−Ｉ断面図である。
【００５４】
マンホール蓋１０上面では、図１２（ａ）に示すように、閉塞蓋１００の蓋体１１０が閉塞部１１１で摘み穴１１全体を上面から覆っている。蓋体１１０上面では、挿通孔１１２及びロック解除部１１４が外部に露出している。挿通孔１１２では、閉塞部１１１上面側にバンド体１５０が延び出ないように、バンド体１５０が切断されているため、バンド部１５１の切断面のみが外部に臨んでいる。そして、蓋体１１０表面の目印１１６の向きが、摘み穴１１の長辺方向と合致するように、閉塞蓋１００が設置されている。
【００５５】
他方、マンホール蓋１０下面では、図１２（ｂ）に示すように、挟持体１３０が該マンホール蓋１０下面に当接するように配置されている。挟持体１３０は、目印１１６によって閉塞蓋１００の位置又は角度が調整されているため、その長手方向が摘み穴１１の矩形部１１ａの長辺方向と直交するように配置されている。結果として、挟持体１３０の当接部１３２が摘み穴１１周縁に当接している。
【００５６】
そして、図１３に示すように、蓋体１１０の閉塞部１１１下面と挟持体１３０の当接部１３２とで、マンホール蓋１０を挟持することにより、閉塞蓋１００がマンホール蓋１０に設置されている。そして、摘み穴１１を貫通するバンド体１５０によって、マンホール蓋１０上面側の蓋体１１０とマンホール蓋１０下面側の挟持体１３０とが連結されている。より詳細には、バンド体１５０のバンド部１５１が、（下方から）挟持体１３０の貫通孔１３３、ロック部１２０の挿通係止孔１２１、及び、蓋体１１０の挿通孔１１２を直線的に貫通している。そして、バンド部１５１表面の係止突起１５２にロック部１２０のロック爪１２２が係合し、バンド体１５０の下方への移動が規制されている。また、バンド体１５０の支持部１５３が挟持体１３０の底壁１３１ａ下面に当接し、挟持体１３０を蓋体１１０に向けて牽引している。すなわち、本実施形態では、蓋体１１０と挟持体１３０との間でマンホール蓋１０を挟持した状態で、挟持体１３０を支持するバンド体１５０が蓋体１１０に対してロックされることにより、マンホール蓋１０の摘み穴１１が閉塞蓋１００で閉塞されている。他方、長尺体１６０が挟持体１３０のスリット１３４を貫通し、係合部１６２が自由端として垂下している。
【００５７】
続いて、図１４及び図１５を参照して、閉塞蓋１００をマンホール蓋１０の摘み穴１１に対して取着する方法を説明する。
【００５８】
まず、図１４に示すとおり、設置済のマンホール蓋１０の摘み穴１１の直上に、長尺体１６０の係合部１６２、及び、バンド体１５０に吊下げられた挟持体１３０を配置する。そして、摘み穴１１の矩形部１１ａの幅方向に挟持体１３０の長手方向を揃えるように、閉塞蓋１００の姿勢を変更又は維持する。このとき、挟持体１３０は自然状態では略水平な姿勢をとるが、挿通孔１１２及びスリット１３４内面の傾斜面により、挟持体１３０が（略垂直の）バンド体１５０及び長尺体１６０に対して傾斜し、挟持体１３０の後端が下がるように傾斜可能である。次いで、閉塞蓋１００を降下させ、摘み穴１１に長尺体１６０の係合部１６２を挿通し、前端部が上がるように傾斜姿勢にした挟持体１３０をその後端部から摘み穴１１に挿通する。このとき、摘み穴１１の円形部１１ｂを用いることにより、より容易に挟持体１３０を摘み穴１１に挿通させることができる。そして、摘み穴１１に挟持体１３０を通過させ、挟持体１３０をマンホール蓋１０の下面側に配置する。すると、挟持体１３０は、バンド体１５０の支持部１５３上面（略水平面）に支持されるため、略水平な姿勢に自然に復帰する。
【００５９】
挟持体１３０をマンホール蓋１０の下面側に配置した状態で、蓋体１１０上面に付された目印１１６をマンホール蓋１０の摘み穴１１の長辺方向に向けることにより、挟持体１３０の向きを摘み穴１１に直交するように維持する。そして、図１５（ａ）に示すように、略水平姿勢で支持された挟持体１３０を蓋体１１０に対して牽引するように、バンド体１５０を上方に引き上げ、バンド部１５１を挿通孔１１２及び挿通係止孔１２１内で順方向に前進させる。このとき、スリット１３４を通過する長尺体１６０に対して、挟持体１３０が上方に相対移動する。そして、挟持体１３０がマンホール蓋１０下面の摘み穴１１周縁に強く当接するまでバンド体１５０を引き上げる。ロック部１２０がバンド部１５１に作用することにより、バンド体１５０が引き上げられた位置で蓋体１１０に対してロック（維持）される。その結果、図１５（ｂ）に示すように、挟持体１３０が蓋体１１０に対して牽引され、該牽引力により蓋体１１０と挟持体１３０とがマンホール蓋１０を挟圧し続ける。最後に、閉塞部１１１上面から延び出たバンド部１５１を切断することにより、図１２及び図１３で示したマンホール蓋１０を構築することができる。
【００６０】
したがって、上述の簡易な操作又は工程によって、本実施形態の閉塞蓋１００をマンホール蓋１０の摘み穴１１に対して簡単且つ迅速に取り付けることができる。なお、ここで説明した方法は、一例にすぎず、当業者であれば、各工程の順序を入れ替え、又は、状況に応じて不要な工程を省略又は変更することも可能である。
【００６１】
次に、図１６及び図１７を参照して、ロック状態を解除して閉塞蓋１００をマンホール蓋１０から取り外す方法を説明する。
【００６２】
まず、マイナスドライバーなどの先端が鋭利な工具を準備する。そして、図１６（ａ）に示すように、工具をロック解除部１１４の凹部１１４ａに突っ込み、工具先端で凹部底面の薄膜１１４ｂを破断し、解除孔１１４ｃを形成する。さらに、解除孔１１４ｃに工具を挿通し、その先端で保持部１１３に強い衝撃を与える。これにより、保持部１１３が破壊され、ロック部１２０が蓋体１１０から離脱する。そして、ロック部１２０がバンド体１５０ごと落下し、バンド体１５０と蓋体１１０との間のロック（又は連結）が解除される。その結果、図１６（ｂ）に示すように、挟持体１３０が蓋体１１０から離隔するように落下し、長尺体１６０の係合部１６２によって吊下げ支持される。他方、バンド体１５０が貫通孔１３３内を下方に落下するが、ロック部１２０が挟持体１３０の底壁１３１ａ（貫通孔１３３周縁）上面に当接し、これら部材がマンホールに落下しないように保持される。
【００６３】
また、図１６（ａ）に示すように、挟持体１３０が長尺体１６０によって懸下支持された状態では、挟持体１３０は、係合部１６２の傾斜面１６２ａ等にガイドされ、その前端部が上がるように自然に傾斜姿勢をとる。そして、長尺体１６０がスリット１３４内で前端部側にスライドする。挿入時と同様に、目印１１６を利用して、摘み穴１１の矩形部１１ａの幅方向に挟持体１３０の長手方向を揃えるように、その姿勢を維持する。
【００６４】
そして、図１７に示すように、閉塞蓋１００をさらに引き上げて、傾斜した挟持体１３０の前端部から摘み穴１１に通過させる。このとき、挟持体１３０前端部が切り欠かれて傾斜部１３５が形成されていることにより、傾斜姿勢において、挟持体１３０前端部が摘み穴１１周縁に係止される虞が軽減されている。さらに、挟持体１３０の前端部を摘み穴１１に通過させた後、その後端部を摘み穴１１に通過させるように斜め方向に向けて挟持体１３０をマンホール蓋１０の上面側に引き上げることにより、閉塞蓋１００をマンホール蓋１０から取り外すことができる。
【００６５】
したがって、ロック解除部１１４によって、閉塞部１１１を破壊することなく、バンド体１５０による蓋体１１０と挟持体１３０との連結を解除して、簡単且つ容易に閉塞蓋１００をマンホール蓋１０から取り外すことができる。さらに、落下防止手段によって、挟持体１３０がマンホール内に落下することを防止することができる。なお、ここで説明した方法は、一例にすぎず、当業者であれば、各工程の順序を入れ替え、又は、状況に応じて不要な工程を省略又は変更することも可能である。例えば、ロックを解除する際、保持部１１３を破壊せずに、保持されたロック部１２０を強く押圧し、保持部１１３からロック部１２０を離脱させてもよい。この場合、バンド体１５０を新たな結束バンド１７０に取り替える等により、取り外し後の閉塞蓋１００の再利用も可能となる。
【００６６】
以下、本発明に係る一実施形態の閉塞蓋１００の作用効果について説明する。
【００６７】
本実施形態の閉塞蓋１００によれば、蓋体１１０をマンホール蓋１０の上面側に配置するとともに挟持体１３０をマンホール蓋１０の下面側に配置し、摘み穴１１及び挿通孔１１２を貫通するバンド体１５０を上面側に引き上げることにより、バンド体１５０の支持部１５３で支持された挟持体１３０が蓋体１１０に対して牽引される。当該牽引力によって挟持体１３０と蓋体１１０との間にマンホール蓋１０が挟持される。そして、ロック部１２０がバンド部１５１を蓋体１１０に対してロックすることにより、挟持体１３０及び蓋体１１０によってマンホール蓋１０が挟持された状態が維持される。すなわち、本発明の閉塞蓋１００によれば、簡易な構造で、マンホール蓋１０の摘み穴１１を蓋体１１０でより確実に閉塞することが可能である。結果として、本実施形態の閉塞蓋１００を使用することで、マンホール蓋１０の摘み穴１１が外部に露出することを防ぎ、悪意若しくは悪戯によってマンホール蓋１０が無断で開けられることを抑止することができる。
【００６８】
また、本実施形態の閉塞蓋１００によれば、ロック解除部１１４によって蓋体１１０に対するバンド体１５０のロックを解除することにより、蓋体１１０の閉塞部１１１を破壊することなく、蓋体１１０を摘み穴１１から容易に取り外すことができる。特には、マンホール蓋１０の上面側から、ロック解除部１１４に形成された解除孔１１４ｃに工具を差し込むことにより、ロック部１２０を保持部１１３から離脱させ、蓋体１１０に対するバンド体のロックを簡単に解除することができる。そして、ロック（連結）が解除されたことにより、挟持体１３０が蓋体１１０から落下するが、落下防止手段により、蓋体１１０によって挟持体１３０が保持され、マンホール内に部材が落下することが防止される。特には、落下防止手段は、挟持体１３０に形成されたスリット１３４と、該スリット１３４を貫通する長尺体１６０とを備える。そして、長尺体１６０の長尺部１６１がスリット１３４を貫通し、長尺体１６０の一端が蓋体１１０の連結部１１５に固定され、長尺体１６０の他端で張り出した係合部１６２が挟持体１３０の下面に係合する。これにより、ロックが解除されたときに、落下する挟持体１３０を長尺体１６０が懸下して支持することができる。すなわち、簡易な構造で落下防止手段を構成することが可能である。
【００６９】
さらに、本実施形態の閉塞装置によれば、２本の結束バンド１７０からバンド体１５０、長尺体１６０及びロック部１２０を準備して、閉塞蓋１００を提供することができる。すなわち、バンド体１５０として、第１の結束バンド１７０をそのまま使用することができる。第２の結束バンド１７０のバンド部１７１及びロック部１７３を分離させ、バンド部１７１の下端に係合片１３８を取着することにより、長尺体１６０が形成される、分離したロック部１７３は、ロック部１２０として蓋体１１０に組み込まれる。すなわち、本発明の閉塞装置によれば、一般的な結束バンド１７０を利用した簡易な構造で、マンホール蓋１１０の摘み穴１１を蓋体１１０で確実に閉塞することが可能である。
【００７０】
［変形例］
本発明は、上記実施形態に限定されず、種々の実施形態や変形例を取り得る。以下、本発明の変形例を説明する。なお、各変形例において、三桁で示される構成要素において下二桁が共通する構成要素は、特定がない限り、同一又は類似の特徴を有し、その説明を一部省略する。
【００７１】
（１）上記実施形態の閉塞蓋１００では、ロック部１２０、バンド体１５０及び長尺体１６０が結束バンド１７０から構成されたが、本発明はこれに限定されない。すなわち、図１８に示す閉塞蓋２００では、ロック部２２０が蓋体２１０下面に一体的に設けられている。また、バンド体２５０が挟持体２３０の底壁２３１ａに一体的に設けられている。さらに、長尺体２６０は、（係止突起を有しない）長尺部２６１に一体的に形成された係合部２６２を備える。すなわち、閉塞蓋２００は、蓋体２１０、ロック部２２０、挟持体２３０、バンド体２５０、及び、長尺部２６０を備えてなる。そして、バンド体２５０と挟持体２３０との接合部分が、挟持体２３０を懸下して支持する支持部２５３である。この場合、挟持体２３０には、貫通孔が省略される。上記実施形態と同様に、蓋体２１０をマンホール蓋の上面側に配置するとともに挟持体２３０をマンホール蓋の下面側に配置し、摘み穴及び挿通孔２１２を貫通するバンド体２５０を上面側に引き上げると同時に、ロック部２２０がバンド部２５１を蓋体２１０に対してロックすることにより、挟持体２３０及び蓋体２１０によってマンホール蓋が挟持された状態が維持される。すなわち、変形例の閉塞蓋２００においても、簡易な構造で、マンホール蓋の摘み穴を蓋体でより確実に閉塞することが可能である。他方、該閉塞蓋２００には、保持部や解除孔が設けられていない。しかしながら、閉塞部２１１上面から挿通孔２１２を介してロック部２２０のロック爪２２２を破壊するなどして、バンド体２５０と蓋体２１０との連結を解除することが可能である。
【００７２】
（２）本発明の閉塞蓋では、落下防止手段が省略されてもよい。図１９に示す閉塞蓋３００は、落下防止手段としての長尺体及びスリットを有しない。すなわち、閉塞蓋３００は、蓋体３１０、ロック部３２０、挟持体３３０及びバンド体３５０を備えてなる。上記実施形態と同様に、蓋体３１０をマンホール蓋の上面側に配置するとともに挟持体３３０をマンホール蓋の下面側に配置し、摘み穴及び挿通孔３１２を貫通するバンド体３５０を上面側に引き上げると同時に、ロック部３２０がバンド部３５０を蓋体３１０に対してロックすることにより、挟持体３３０及び蓋体３１０によってマンホール蓋が挟持された状態が維持される。すなわち、変形例の閉塞蓋３００においても、簡易な構造で、マンホール蓋の摘み穴を蓋体でより確実に閉塞することが可能である。ただし、本閉塞蓋３００では、ロック解除部３１４を介してロックを解除した後、挟持体３３０がマンホールに落下することは避けられない。
【００７３】
（３）上記実施形態の閉塞蓋１００では、蓋体１１０（閉塞部１１１）が円形に形成されているが、本発明は上記形状・寸法に限定されることはない。例えば、閉塞部は、楕円形状、長円形状、多角形状等であってもよい。また、閉塞部は、摘み穴を完全に閉塞せずとも、マンホール蓋開閉用工具の挿入を防止できれば、摘み穴を部分的に閉塞する大きさであってもよい。さらに、上記実施形態の閉塞部１００では、挟持体１３０が平面視矩形状に形成されているが、本発明の挟持体は、摘み穴周縁に部分的に当接し、蓋体と協働してマンホール蓋を少なくとも挟持可能であればよく、上記形状・寸法に限定されることはない。例えば、挟持体は、平面視円形状や長円形状等であってもよい。また、本実施形態の挟持体１３０の長さ及び幅が摘み穴１１の長さ及び幅よりも大きいが、直交方向に当接可能であれば、挟持体の長さ及び幅が摘み穴の長さ及び幅よりも小さくてもよい。
【００７４】
（４）上記実施形態の閉塞蓋１００では、ロック部１２０のロック爪１２２がバンド体１５０の係止突起１５２に係合することにより、バンド体１５０が蓋体１１０に対してロックされる。しかしながら、本発明のロック部は、上記実施形態の形態に限定されることはない。例えば、ロック部をクリップ状に構成し、バンド体を挟持することによりロック状態を形成可能としてもよい。この場合、バンド体に係止突起を設けなくてもよい。あるいは、バンド体の長尺方向に沿って孔を開け、ピンでバンド体を係止するようにロック部を構成してもよい。すなわち、ロック部は、バンド体のバンド部を蓋体に対して固定できればよいので、当業者であれば、ロック部の機構を任意に変更可能である。
【００７５】
（５）上記実施形態の閉塞蓋１００では、ロック解除部１１４は、凹部１１４ａ及び薄膜１１４ｂからなり、事後的に解除孔１１４ｃが形成されるように構成されているが、当所より解除孔が形成されていてもよい。あるいは、ロック解除部は、ロック部（ロック爪）を外部から直接操作することで、ロック解除する構成であってもよい。
【００７６】
（６）上記実施形態では、マンホール蓋１０の摘み穴１１は、矩形部１１ａと円径部１１ｂとを組み合わせた形状を有しているが、貫通穴であれば、その形状を問わない。つまり、閉塞蓋の閉塞部及び挟持体の当接部の形状を摘み穴の形状に合わせることにより、円形状、多角形状などの種々の形状の摘み穴を閉塞することが可能である。すなわち、本発明において、マンホール蓋の形状、摘み穴の位置及び形状が本実施形態に限定されないことは言うまでもない。
【００７７】
本発明は上述した実施形態や変形例に限定されるものではなく、本発明の技術的範囲に属する限りにおいて種々の態様で実施しうるものである。
【符号の説明】
【００７８】
１０      マンホール蓋
１１      摘み穴
１００    閉塞蓋
１１０    蓋体
１１１    閉塞部
１１２    挿通孔
１１３    保持部
１１４    ロック解除部
１１４ｃ  解除孔
１１５    連結部
１１６    目印
１２０    ロック部
１２１    挿通係止孔
１２２    ロック爪
１２３    切断残片
１３０    挟持体
１３１    挟持体本体
１３２    当接部
１３３    貫通孔
１３４    スリット
１３５    傾斜部
１３６    ガイド片
１３８    係合片
１５０    バンド体（第１の結束バンド）
１５１    バンド部
１５２    係止突起
１５３    支持部
１６０    長尺体（第２の結束バンド）
１６１    長尺部
１６２    係合部
【図１】
0006457347.tif 000002
【図２】
0006457347.tif 000003
【図３】
0006457347.tif 000004
【図４】
0006457347.tif 000005
【図５】
0006457347.tif 000006
【図６】
0006457347.tif 000007
【図７】
0006457347.tif 000008
【図８】
0006457347.tif 000009
【図９】
0006457347.tif 000010
【図１０】
0006457347.tif 000011
【図１１】
0006457347.tif 000012
【図１２】
0006457347.tif 000013
【図１３】
0006457347.tif 000014
【図１４】
0006457347.tif 000015
【図１５】
0006457347.tif 000016
【図１６】
0006457347.tif 000017
【図１７】
0006457347.tif 000018
【図１８】
0006457347.tif 000019
【図１９】
0006457347.tif 000020